(57)【要約】【課題】車両に装備されているシートベルト装置のバックル係止金具に着脱自在に装着できて、バックル係止金具の非使用時の太陽熱による温度上昇を防止し、使い勝手や安全面でも好ましい車両用シートベルト装置のバックル係止金具カバーを提供する。【解決手段】外形形状が車両用シートベルト装置のバックル係止金具の外形形状より大きく形成されて内部に収納部を有するカバー本体と、該カバー本体の外周縁の一部に設けられ収納部に連通した挿入口とを備えて、バックル係止金具に着脱自在に装着される車両用シートベルト装置のバックル係止金具カバーであって、車両の非走行時に、挿入口を利用してバックル係止金具に装着することにより、収納部にバックル係止金具を収納してその外周面の略全域をカバー本体で覆うことを特徴とする。前記カバー本体は、伸縮自在な取付部材によりシートのヘッドレスト部分等に取り付けられる。【選択図】  図１
2012111455.tif 000002
【特許請求の範囲】
【請求項１】
外形形状が車両用シートベルト装置のバックル係止金具の外形形状より大きく形成されて内部に収納部を有するカバー本体と、該カバー本体の外周縁の一部に設けられ前記収納部に連通した挿入口とを備えて、前記バックル係止金具に着脱自在に装着される車両用シートベルト装置のバックル係止金具カバーであって、
車両の非走行時に、前記挿入口を利用してバックル係止金具に装着することにより、前記収納部にバックル係止金具を収納してその外周面の略全域を前記カバー本体で覆うことを特徴とする車両用シートベルト装置のバックル係止金具カバー。
【請求項２】
前記カバー本体に、伸縮自在な取付手段が連結され、該取付手段の先端取付部が前記車両のシートもしくはドア部分に取り付けられることを特徴とする請求項１に記載の車両用シートベルト装置のバックル係止金具カバー。
【請求項３】
前記カバー本体の収納部は、バックル係止金具を所定力で保持可能な磁石を有するか、もしくは収納部自体の弾性力によりバックル係止金具を所定力で保持可能に形成されていることを特徴とする請求項１または２に記載の車両用シートベルト装置のバックル係止金具カバー。
【請求項４】
前記カバー本体に、該カバー本体を所定形状に維持可能で熱の伝熱を防止可能な熱遮蔽手段が設けられていることを特徴とする請求項１ないし３のいずれかに記載の車両用シートベルト装置のバックル係止金具カバー。
【発明の詳細な説明】
【技術分野】
【０００１】
本発明は、四輪自動車等の車両に装備されているシートベルト装置の、バックル係止金具の太陽熱による温度上昇を防止するためのバックル係止金具カバーに関する。
【背景技術】
【０００２】
従来、四輪自動車においては、運転席や助手席、後部座席等の各座席にシートベルト装置が装備されている。これらのシートベルト装置のうち、特に運転席や助手席の座席に装備されるシートベルト装置は、座席側方の車体ドア部分の下部内部に配置されてシートベルトを巻回収納可能なリトラクタと、車体ドア部分の上部内面に露出状態で配置されたショルダーアンカーと、座席の反ドア側の車体フロアに配置されたバックル本体等で構成されている。
【０００３】
そして、車両を走行（運転）する際には、運転者や乗員がシートベルトに係止されてショルダーアンカ部分に露出しているバックル係止金具（タング）を引っ張り、シートベルトをリトラクタから所定長さ引き出してバックル係止金具をバックル本体に係止させることにより、シートベルト装置が使用状態に設定されるようになっている。なお、車両用シートベルト装置としては、例えば特許文献１に開示されている。
【先行技術文献】
【特許文献】
【０００４】
【特許文献１】特開２００４−５８６９８号公報
【発明の概要】
【発明が解決しようとする課題】
【０００５】
しかしながら、このようなシートベルト装置にあっては、車両の非走行時であるシートベルト装置の非使用時には、金属で形成されたバックル係止金具が、ショルダーアンカーの下方で車内に露出状態とされているため、車両を屋外の駐車場に駐車した際に、ドアの窓ガラスから進入する太陽光でバックル係止金具が熱せられる状態となり易い。その結果、駐車後に車両を走行させようとしてシートベルト装置を装着する際、運転者や助手席の乗員が、表面温度が高くなっているバックル係止金具に触り、火傷したような不快な感覚になったり、皮膚の弱い乗員の場合等には軽い火傷になる虞がある等、安全面の上から好ましくない。
【０００６】
本発明は、このような事情に鑑みてなされたもので、その目的は、車両に装備されているシートベルト装置のバックル係止金具に着脱自在に装着できて、バックル係止金具の非使用時の太陽熱による温度上昇を防止し、使い勝手や安全面でも好ましい車両用シートベルト装置のバックル係止金具カバーを提供することにある。
【課題を解決するための手段】
【０００７】
かかる目的を達成すべく、本発明のうち請求項１に記載の発明は、外形形状が車両用シートベルト装置のバックル係止金具の外形形状より大きく形成されて内部に収納部を有するカバー本体と、該カバー本体の外周縁の一部に設けられ前記収納部に連通した挿入口とを備えて、前記バックル係止金具に着脱自在に装着される車両用シートベルト装置のバックル係止金具カバーであって、車両の非走行時に、前記挿入口を利用してバックル係止金具に装着することにより、前記収納部にバックル係止金具を収納してその外周面の略全域を前記カバー本体で覆うことを特徴とする。
【０００８】
また、請求項２に記載の発明は、前記カバー本体に、伸縮自在な取付手段が連結され、該取付手段の先端取付部が前記車両のシートもしくはドア部分に取り付けられることを特徴とする。また、請求項３に記載の発明は、前記カバー本体の収納部が、バックル係止金具を所定力で保持可能な磁石を有するか、もしくは収納部自体の弾性力によりバックル係止金具を所定力で保持可能に形成されていることを特徴とする。さらに、請求項４に記載の発明は、前記カバー本体に、該カバー本体を所定形状に維持可能で熱の伝熱を防止可能な熱遮蔽手段が設けられていることを特徴とする。
【発明の効果】
【０００９】
本発明のうち請求項１に記載の発明によれば、車両の非走行時に、挿入口を利用してバックル係止金具に装着することにより、収納部にバックル係止金具を収納してその外周面の略全域をカバー本体で覆うため、車両を屋外に駐車した場合でも、太陽熱によるバックル係止金具の表面温度の上昇を防止できて、シートベルト装着時の熱による不快感等を無くすことができると共に、バックル係止金具に簡単に着脱できて、その使い勝手を向上させることができる。
【００１０】
また、請求項２に記載の発明によれば、請求項１に記載の発明の効果に加え、カバー本体に伸縮自在な取付手段が連結され、この取付手段の先端取付部がシートのヘッドレスト部分やドア部分に取り付けられるため、カバーを非使用時にシートの側方等に簡単に配置できて、その使い勝手を一層向上させることができる。
【００１１】
また、請求項３に記載の発明によれば、請求項１または２に記載の発明の効果に加え、、カバー本体の収納部が、バックル係止金具を所定力で保持可能な磁石を有するか、もしくは収納部自体の弾性力によりバックル係止金具を所定力で保持可能に形成されているため、磁石の吸着力や収納部自体の弾性力によりカバーのバックル係止金具からの安易な脱落を防止したり、所定の引張力で取り外すことができて、カバー自体の安全性を向上させることができると共に、カバーの装着や取り外し等を一層確実かつ簡単に行うことができる。
【００１２】
さらに、請求項４に記載の発明によれば、請求項１ないし３に記載の発明の効果に加え、カバー本体を所定形状に維持可能で熱の伝熱を防止可能な熱遮蔽手段が設けられているため、カバー本体を所定形状に維持して良好な装着状態が得られると共に、カバー装着時の太陽光の熱のバックル係止金具への伝熱を防いで、バックル係止金具の温度上昇を一層確実に防止することができる。
【図面の簡単な説明】
【００１３】
【図１】本発明に係わるバックル係止金具カバーの一実施形態を示す斜視図
【図２】同そのカバー本体の縦断面図
【図３】同図２のＡ−Ａ線に沿った断面図
【図４】同カバー本体のバックル係止金具への装着状態の断面図
【図５】同カバーの使用状態の説明図
【図６】同カバーの非使用状態の説明図
【図７】本発明に係わるバックル係止金具カバーの変形例を示す斜視図
【発明を実施するための形態】
【００１４】
以下、本発明を実施するための形態を図面に基づいて詳細に説明する。
図１〜図６は、本発明に係わるバックル係止金具カバーの一実施形態を示している。図１にすように、バックル係止金具カバー１（以下、カバー１という）は、外周縁の一部に挿入口３が形成されたカバー本体２と、このカバー本体２に連結された取付部材４（取付手段）を有している。前記カバー本体２は、その外形形状が、後述するバックル係止金具５の外形形状より大きな形状を有する平面視で略円形に形成されている。
【００１５】
そして、このカバー本体２は、図２及び図３に示すように、外周面に例えばキャラクタ６（図１参照）が設けられた布２ａが配置されると共に、この布２ａの内側でカバー本体２の外面側となる部分には、アルミ箔等の形状保持部材を兼ねる熱遮蔽部材７が接着剤等により布２ａの内面に固着状態で配置されている。なお、カバー本体２の布２ａは、挿入口３の周囲が他の部分と色彩等が異なるように設定されることで、使用者に挿入口３が明確に識別されるようになっている。
【００１６】
また、前記カバー本体２の熱遮蔽部材７の内側には空洞部８が設けられると共に、挿入口３の内側の一対の布２ａ１は非固着状態とされて、この布２ａ１間には所定の隙間や布２ａ１の変形により形成される収納部９が設けられている。さらに、カバー本体２の挿入口３の内側の収納部９の位置には、磁石１０（永久磁石）が、例えば布２ａ１に縫製や接着により固着されている。
【００１７】
このカバー本体２は、例えば所定形状に形成された一対の布２ａの内面の所定位置に熱遮蔽部材７をそれぞれ固着し、この一対の布２ａの挿入口３部分を除いた部分を糸１１（図３参照）で縫製することにより、内部に空洞部８や収納部９を有するようにして製造される。なお、カバー本体２の製造方法は、以上の例に限定されず、他の適宜の方法を採用することができる。
【００１８】
前記取付部材４は、図１に示すように、伸縮自在な樹脂製のスパイラル４ａと、このスパイラル４ａの先端にリング４ｃを介して連結された先端取付部としての取付バンド４ｂ等を有している。スパイラル４ａは、その基端部が、カバー本体２の挿入口３の一方側端部に縫製等により固着されて軸周りに回転自在な取付金具４ｄに連結されることにより、カバー本体２に対して軸周りに回転可能となっている。
【００１９】
このとき、スパイラル４ａは、所定の力で引っ張った場合に延びるように設定されている。また、前記取付バンド４ｂは、ボタン４ｂ１の着脱により開閉可能に構成されている。なお、取付部材４は、スパイラル４ａや取付バンド４ｂの使用に限らず、例えばスパイラル４ａの代わりにゴム等の伸縮性の部材を使用する等、伸縮自在な適宜の構成を採用することができる。
【００２０】
次に、前記カバー１の使用方法について説明する。先ず、カバー１は、図１に示す状態で販売される。そして、このカバー１は、図５に示すように、取付部材４の取付バンド４ｂのボタン４ｂ１を外し、車両のシート１３の上部に設けられているヘッドレスト１４の、例えばドア側のアーム１４ａに巻回状態としてボタン４ｂ１を係止させることで車両（シート１３）に取り付けられる。
【００２１】
この取付状態で、車両の走行時であるカバー１の非使用時には、図６に示すように、カバー本体２及び取付部材４がシート１３の側面１３ａ側に垂らした状態とされ、この非使用時に取付部材４のスパイラル４ａは延びないように設定されている。このとき、カバー本体２の布２ａ表面に設けたキャラクタ６により、カバー１を車両用の室内アクセサリーや室内マスコットとして使用できることになる。なお、カバー１の非使用時に、カバー本体２等をシート１３の側面１３ａ側に垂らすと邪魔になる場合は、図６の二点鎖線で示すように、シート１３の背面１３ｂ側に垂らすようにすれば良い。また、カバー１の取付部材４の車両への取り付けは、ヘッドレスト１４のアーム１４ａに限らず、例えばシートベルト装置のショルダーアンカー１５（図５参照）に取り付ける等、車両の走行時に邪魔とならない適宜位置に取り付けることができる。
【００２２】
一方、車両を屋外の駐車場に駐車してカバー１を使用する場合は、シート１３の例えば側面１３ａ側に垂らした状態とされているカバー１のカバー本体２を引っ張って、図５に示すように、車体のドア部分の上部内面に露出状態とされてショルダーアンカー１５に係止されているバックル係止金具５にカバー本体２を装着する。この装着は、図４に示すように、バックル係止金具５をカバー本体２の挿入口３に矢印イの如く挿入するか、あるいはカバー本体２の挿入口３をバックル係止金具５に反矢印イ方向に挿入して、バックル係止金具５の略全体をカバー本体２の収納部９に収納させることにより行われる。
【００２３】
この収納時に、バックル係止金具５は挿入口３から収納部９の一対の布２ａ１間に該布２ａ１を変形させつつ（隙間を広げつつ）挿入され、バックル係止金具５が収納部９に略完全に挿入（収納）された時点で、該係止金具５が磁石１０に吸着されて、図４の実線で示す位置に保持される。これにより、バックル係止金具５の表面の略全域がカバー本体２で覆われた状態となり、カバー１が図５に示すように車両に装着され、バックル係止金具５にドアの窓ガラスから矢印ロの如く太陽光が進入しても、該太陽光のバックル係止金具５への直接的な照射が防止される。このとき、カバー本体２の外面側に熱遮蔽部材７が配置されているため、この熱遮蔽部材７で太陽光の収納部９内への進入が遮断（遮蔽）されて、バックル係止金具５の温度上昇が確実に防止されることになる。
【００２４】
また、カバー１の使用状態において、例えば車内に犬等のペットを残しておいた場合に、ペットの首が取付部材４に引っ掛かったとしても、ペットが磁石１０の吸着力より大きな力で取付部材４を引っ張ることにより、カバー本体２がバックル係止金具５から自動的に外れることになり、車内に残されたペットの事故等が防止される。
【００２５】
そして、駐車後に車両を走行させる場合は、バックル係止金具５からカバー本体２を引っ張って取り外し、図６に示す非使用状態に設定することにより、バックル係止金具５が使用可能な状態に設定され、シートベルト１６（図５参照）が装着できる状態に設定される。つまり、カバー本体２をバックル係止金具５に着脱可能とし、かつ取付部材４によりカバー１をシート１３のヘッドレスト１４等に取付可能に構成することで、駐車中のバックル係止金具５の太陽熱による温度上昇を防止できることになる。
【００２６】
このように、前記カバー１によれば、車両の非運転時に、カバー本体２の挿入口３からバックル係止金具５を挿入して装着することにより、収納部９にバックル係止金具５を収納してその外周面の略全域をカバー本体２で覆うことができるため、車両を屋外に駐車した場合でも、太陽熱のバックル係止金具５の表面への直接的な照射等を防いで該係止金具５の表面温度の上昇を防止でき、シートベルト１６装着時の熱による不快感や火傷の発生を無くすことができる。
【００２７】
また、カバー本体２の挿入口３を利用してバックル係止金具５に装着できるため、カバー本体２のバックル係止金具５への着脱操作を簡単に行うことができると共に、挿入口３部分の布２ａの色彩等を他の部分に対して異ならせているため、使用者が挿入口３を確実に認識できて、バックル係止金具５への装着をより簡単に行うことができる。また、カバー１がカバー本体２と取付部材４とで構成されているため、既存の車両であっても簡単に装着でき、これらにより、カバー１の使い勝手を向上させることが可能となる。
【００２８】
さらに、カバー本体２に伸縮自在な取付部材４が連結され、この取付部材４の取付バンド４ｄが車両のヘッドレスト１４等に取り付けられるため、カバー１の非使用時にカバー本体２等をシート１３の側面１３ａ側等に簡単に配置できる。また、カバー本体２の収納部９にバックル係止金具５を所定力で保持可能な磁石１０が配置されているため、磁石１０の吸着力によりカバー本体２のバックル係止金具５からの安易な脱落を防止できると共に、カバー本体２の装着や取り外し等を一層確実かつ簡単に行うことができる。特に磁石１０の吸着力を所定に設定することにより、取付部材４を所定力で引っ張った場合に、カバー本体２がバックル係止金具５から自動的に取り外されるため、例えば車内に残したペット等のカバー１による事故を防止することができ、カバー１自体の安全性を高めることができる。
【００２９】
またさらに、カバー本体２に、該カバー本体２を所定形状に維持可能で熱の伝熱を防止可能な熱遮蔽手段７が設けられているため、カバー本体２を所定形状に維持してバックル係止金具５への良好な装着状態が容易に得られると共に、カバー１装着時の車内の熱のバックル係止金具５への伝熱を防いで、バックル係止金具５の温度上昇を一層確実に防止することができる。また、カバー本体２の表面にキャラクタ６を設けることにより、カバー本体２を室内アクセサリーや室内マスコットとしても使用することができて、カバー１の付加価値を高めることもできる。
【００３０】
ところで、前記実施形態においては、カバー１をカバー本体２と取付部材４で構成したが、本発明はこれに限定されず、例えば取付部材４を省略して、カバー本体２のみで構成することもできる。この場合、カバー１の使用時には、カバー本体２の保持を磁石１０の吸着力のみにより行い、非使用時には車内の適宜位置に保管したり、ダッシュボード上にアクセサリーやマスコットとして置くようにすれば良い。
【００３１】
また、このカバー１をカバー本体２のみで構成する場合は、前記した布２ａや熱遮蔽部材７、磁石１０等を使用することなく、図７に示すように、例えばシリコン等の樹脂による一体成形品とすることも可能であるし、この一体成形品に前記取付部材４を後付け可能に構成すること等も可能である。
【００３２】
なお、前記実施形態においては、カバー本体２の平面視形状を略円形としたが、例えば方形状や多角形状、星形形状に形成する等、適宜形状のカバー本体を使用することができる。また、前記カバー本体２の空洞部８内に断熱機能と形状保持機能を有する発泡材を充填したり、カバー本体２の外周面の布２ａに、車両のドアガラスやダッシュボードの清掃機能を持たせるようにしたり、カバー本体２の空洞部８に芳香剤を収納する等して、カバー１に芳香機能を持たせることもできる。
【００３３】
また、前記カバー本体２の空洞部８内に、例えば電池によりスピーカから音声を発生可能であったり、圧力（空気圧）等により音声を発生可能な音声発生手段を内蔵させ、カバー１の非使用時でカバー本体２をシート１３の側方や後方に垂らした状態の時等に、赤ちゃん等の子供がカバー本体２を触ったり握ることにより、動物の鳴き声等の各種音声を発生させる機能を付加することも可能である。
【産業上の利用可能性】
【００３４】
本発明は、車両内に装備されて駐車時に太陽光の熱を受け易い、全てのシートベルト装置のバックル係止金具に利用することができる。
【符号の説明】
【００３５】
１・・・・・・・・・バックル係止金具カバー
２・・・・・・・・・カバー本体
２ａ、２ａ１・・・・布
３・・・・・・・・・挿入口
４・・・・・・・・・取付部材
４ａ・・・・・・・・スパイラル
４ｂ・・・・・・・・取付バンド
４ｄ・・・・・・・・取付金具
５・・・・・・・・・バックル係止金具
６・・・・・・・・・キャラクタ
７・・・・・・・・・熱遮蔽部材
８・・・・・・・・・空洞部
９・・・・・・・・・収納部
１０・・・・・・・・磁石
１３・・・・・・・・シート
１４・・・・・・・・ヘッドレスト
１４ａ・・・・・・・アーム
１５・・・・・・・・ショルダーアンカー
１６・・・・・・・・シートベルト
【図１】
2012111455.tif 000003
【図２】
2012111455.tif 000004
【図３】
2012111455.tif 000005
【図４】
2012111455.tif 000006
【図５】
2012111455.tif 000007
【図６】
2012111455.tif 000008
【図７】
2012111455.tif 000009